(57)【要約】      （修正有）【課題】取り外しが簡単でありながら、取り外した状態を一見して識別できるため不正な再使用を効果的に防止することができ、しかも製造コストも安価に抑えられるセキュリティリストバンドを提供する。【解決手段】セキュリティリストバンド１は、帯状体２の長手方向の一端部に接着部を備え、接着部を他端部に接着させて装着する。接着部は、接着部を他端部に貼付した後に剥離すると当該剥離したことを目視できる表示面が現れる改ざん防止シール部３として形成されている。【選択図】図１
0003189536.tif 000002
【実用新案登録請求の範囲】
【請求項１】
帯状体の長手方向の一端部に接着部を備え、前記接着部を他端部に接着させて装着するリストバンドであって、前記接着部が、前記接着部を前記他端部に貼付した後に剥離すると当該剥離したことを目視できる表示面が現れる改ざん防止シール部として形成されているセキュリティリストバンド。
【請求項２】
前記帯状体における前記改ざん防止シール部以外の部分に、装着したセキュリティリストバンドを容易に破断するための切り込み部が設けられている、請求項１に記載のセキュリティリストバンド。
【請求項３】
裏面に剥離紙が貼付されている細長ロール状の改ざん防止シール体の長手方向に沿って前記剥離紙のみを切断する切れ目が入れられ、
前記切れ目を境目とする左右の改ざん防止シール体のうち、一方の改ざん防止シール体の前記剥離紙が剥がされて粘着面を露出させながら、露出された前記粘着面をシート状用紙の長手方向に沿って貼付されることにより、改ざん防止シール部を備えたセキュリティリストバンド形成用シートが形成され、
前記セキュリティリストバンド形成用シートを前記改ざん防止シール部が一端部に位置するように所定の大きさの帯状体に切断されることによって形成される、請求項１または請求項２に記載のセキュリティリストバンド。
【考案の詳細な説明】
【技術分野】
【０００１】
本考案は、不正な再使用を防止するセキュリティリストバンドに関するものである。
【背景技術】
【０００２】
観光農園、遊園地、テーマパーク、イベント会場等においては、入場券または入場券の代わりとして正規の入場者を識別するためにセキュリティリストバンドが配られて、正規の入場者はそれを手首に装着して行動し、入退出の際には、会場スタッフにそのセキュリティリストバンドを見せることにより速やかに入退出できるように用いられている。しかしながら、従来のセキュリティリストバンドには、容易に着脱可能なものもあり、使い回し等の不正な再使用の問題がある。
【０００３】
このような問題に対して、従来、一度取り付けたら破断せずには取り外しできない構成により重複使用を防止するセキュリティリストバンドが提案されており、例えば、特開２００７−２２９０００号公報には、セキュリティリストバンドの接着部に、セキュリティリストバンドを破断して手首などの局部から取り外し可能な切込み線などからなる破断部を有するセキュリティリストバンドが開示されている（特許文献１）。このセキュリティリストバンドによれば、手首にきつく巻いて使用し、取り外す場合には、破断部を切断しなければならないため、再利用することができない。
【先行技術文献】
【特許文献】
【０００４】
【特許文献１】特開２００７−２２９０００号公報
【考案の概要】
【考案が解決しようとする課題】
【０００５】
しかしながら、特許文献１に記載された発明において、セキュリティリストバンドを破断する場合、装着していない一方の手で行うことになるため、力がうまく入らず特に子供やお年寄りには破断しにくいという問題がある。
【０００６】
そこで、本考案は、このような問題点を解決するためになされたものであって、セキュリティリストバンドの取り外しが簡単でありながら、取り外した状態を一見して識別できるため不正な再使用を効果的に防止することができ、しかも製造コストも安価に抑えられるセキュリティリストバンドを提供することを目的としている。
【課題を解決するための手段】
【０００７】
本考案に係るセキュリティリストバンドは、帯状体の長手方向の一端部に接着部を備え、前記接着部を他端部に接着させて装着するリストバンドであって、前記接着部が、前記接着部を前記他端部に貼付した後に剥離すると当該剥離したことを目視できる表示面が現れる改ざん防止シール部として形成されている。
【０００８】
そして、本考案の一態様として、前記帯状体における前記改ざん防止シール部以外の部分に、装着したセキュリティリストバンドを容易に破断するための切り込み部が設けられていてもよい。
【０００９】
さらに、本考案の一態様として、裏面に剥離紙が貼付されている細長ロール状の改ざん防止シール体の長手方向に沿って前記剥離紙のみを切断する切れ目が入れられ、前記切れ目を境目とする左右の改ざん防止シール体のうち、一方の改ざん防止シール体の前記剥離紙が剥がされて粘着面を露出させながら、露出された前記粘着面をシート状用紙の長手方向に沿って貼付されることにより、改ざん防止シール部を備えたセキュリティリストバンド形成用シートが形成され、前記セキュリティリストバンド形成用シートを前記改ざん防止シール部が一端部に位置するように所定の大きさの帯状体に切断されることによって形成してもよい。
【考案の効果】
【００１０】
本考案のセキュリティリストバンドによれば、セキュリティリストバンドを片手で簡単に取り外すことができるとともに、取り外した状態を一見して識別できるため使い回し等の不正な再使用を防止することができ、製造コストも安価に抑えられる。
【図面の簡単な説明】
【００１１】
【図１】本実施形態の使用前のセキュリティリストバンドの一実施形態を示す斜視図である。
【図２】本実施形態の図１のセキュリティリストバンドの使用時の状況を示す斜視図である。
【図３】本実施形態の図１のセキュリティリストバンドの使用後の状況を示す斜視図である。
【図４】本実施形態の改ざん防止シール体のカッティング工程を示す正面図である。
【図５】本実施形態の改ざん防止シール体の剥離紙を剥離する工程を示す斜視図である。
【図６】本実施形態のセキュリティリストバンド形成用シートの平面図である。
【考案を実施するための形態】
【００１２】
以下、本考案に係るセキュリティリストバンドの一実施形態について図面を用いて説明する。
【００１３】
なお、本考案において、セキュリティリストバンドとは、手首等に巻き付けるものであって、樹脂製や紙製等のあらゆる素材により構成されているものを含み、表面に文字や絵、バーコード等の情報が印刷、記載、刻印されているもの、また、それらの情報がないものも含まれ、入場券用、個人または個人の属するグループの特定・識別用等のあらゆる用途のものを含む概念である。また、改ざん防止シールとは、貼付した後に剥離すると剥離したことを目視できる表示面が現れるシールであって、表示面として、「開封済」や「ＶＯＩＤ」の文字、図形、その他のあらゆる表示が含まれ、樹脂製や紙製等のあらゆる素材のものを含む概念である。
【００１４】
本実施形態に係るセキュリティリストバンド１は、図１ないし図３に示すように、主として、帯状体２と、改ざん防止シール部３、切り込み部４とから構成されている。以下、各構成について説明する。
【００１５】
帯状体２は、セキュリティリストバンド１を形成するための基材となるものである。図１ないし図３に示すように、帯状体２は、手首に巻くことのできる所定の長さと、セキュリティリストバンドを使用する日付や場所等の情報を記載することができる幅を有しており、帯状体２の長手方向の一端部に改ざん防止シール部３を接着させることによりセキュリティリストバンド１を形成する。帯状体２の材質は、リストバンドとして装着可能な耐久性を有するものであればよく、本実施形態では、耐水性にも優れている樹脂製素材で構成されている。
【００１６】
改ざん防止シール部３は、セキュリティリストバンド使用時にはセキュリティリストバンドを装着するために機能し、セキュリティリストバンド使用後には使用済みであることを認識および識別させるために機能するものである。図１に示すように、改ざん防止シール部３は、シール基材３１と剥離紙３２とからなり、シール基材３１の裏面は接着剤を塗布した粘着面となっている。シール基材３１の粘着面の一部が帯状体２の長手方向の一端部に接着されることにより、セキュリティリストバンド１に改ざん防止シール部３が形成される。また、改ざん防止シール部３は、貼付した後に剥離されるとその剥離したことを目視できる表示が現れる構成が採用されている。例えば、粘着面に粘着強度の異なる接着材が塗布されており、剥離すると粘着強度の強い部分が他端部に残るため、この残存部分として「開封済」の文字等が現れるように接着剤を形成すれば、一見して剥離状態を識別することができる。
【００１７】
また、セキュリティリストバンド１を使用する際には、図２に示すように、改ざん防止シール部３の剥離紙３２を剥がし、粘着面を露出させ、帯状体２を手首などの装着対象に巻き付けながら他端部にシール基材３１の粘着面を接着させて、セキュリティリストバンド１を装着する。一方、セキュリティリストバンド１を取り外す際には、帯状体２に接着されたシール基材３１を剥がすと、図３に示すように、改ざん防止シール部３および帯状体２の一部に、剥離したことを目視できる表示面３４が表れる。なお、本実施形態では、剥離したことを目視できる表示面３４として、「開封済」の文字が表れるように構成されているが、表示面３４は他の文字や図形など、適宜変更可能である。
【００１８】
また、切り込み部４は、セキュリティリストバンド１を容易に破断するためのものであり、改ざん防止シール部以外の部分に形成されている。なお、切り込み部４の形状は、本実施形態ではスリット状に形成されているが、三角形状などに切り込んでもよいし、幅方向の中央部分にスリット状に形成したもよく、適宜変更可能である。
【００１９】
つぎに、本実施形態に係るセキュリティリストバンド１による作用について、図１ないし図３を参照しつつ説明する。
【００２０】
本実施形態のセキュリティリストバンド１を使用する場合、図１および図２に示すように、改ざん防止シール部３の剥離紙３２を剥がして、帯状体２の他端部に改ざん防止シール部３を貼付することによって、セキュリティリストバンド１を装着する。これにより、セキュリティリストバンド１を容易に装着することができる。
【００２１】
一方、セキュリティリストバンド１を取り外す場合、図３に示すように、帯状体２に接着されたシール基材３１を剥離すると、剥離したことを目視できる表示面３４が表れる。これにより、装着したセキュリティリストバンド１を容易に取り外すことができ、かつ、セキュリティリストバンド１が使用済みであることを認識させ、不正な再使用を防止することができる。
【００２２】
また、帯状体２に設けられた切り込み部４によりセキュリティリストバンド１を片手で簡単に破断して、セキュリティリストバンド１を取り外すこともできる。これにより、装着者は、セキュリティリストバンド１を取り外す方法として、改ざん防止シール部３を剥がす方法か、切り込み部４により破断する方法かを選択することができ、切り込み部４により破断する方法を採用した場合でも、破断されたセキュリティリストバンド１は再使用が不可能となり、不正な再使用を防ぐことができる。
【００２３】
最後に、本実施形態に係るセキュリティリストバンド１の製造方法の一態様について図４ないし図６を用いて説明する。
【００２４】
まず、裏面に剥離紙が貼付されている細長ロール状の改ざん防止シール体３３を用意し、図４に示すとおり、カッティング装置５により、改ざん防止シール体３３の長手方向に沿って前記剥離紙３２のみを切断する切れ目を入れる。
【００２５】
つぎに、図５および図６に示すとおり、前記切れ目を境目とする左右の改ざん防止シール体３３のうち、一方の改ざん防止シール体３３の前記剥離紙３２を剥がして粘着面を露出させながら、露出された前記粘着面をシート状用紙２１の長手方向に沿って貼付することにより、改ざん防止シール部３を備えたセキュリティリストバンド形成用シート１１を形成する。
【００２６】
そして、図６に示すとおり、セキュリティリストバンド形成用シート１１を改ざん防止シール部３が一端部に位置するように所定の大きさの帯状体２に切断する。なお、本実施形態において、セキュリティリストバンド形成用シート１１をミシン目により所定の大きさの帯状体２に切断しているが、所定の大きさの型を使用して切り抜くなど、帯状体２に切断する方法は適宜変更してもよい。
【００２７】
これにより、改ざん防止シール部３を備えたセキュリティリストバンド１を形成することができるが、セキュリティリストバンド１の製造方法は、上記に限定されるものではなく、他の方法で製造してもよい。
【００２８】
なお、帯状体２の表面に、文字や絵、バーコード等の情報を記載、印刷する場合は、あらかじめ文字や絵を印刷したシート状用紙２１を使用してもよく、また、改ざん防止シール部３を設けたセキュリティリストバンド形成用シート１１またはセキュリティリストバンド１を形成した後に文字や絵、バーコード等を印刷してもよい。
【００２９】
以上のように、本考案によれば、セキュリティリストバンド１を片手で簡単に取り外すことができるとともに、取り外した状態を一見して識別できるため使い回し等の不正な再使用を防止することができ、製造コストも安価に抑えられる
【００３０】
なお、本考案に係るセキュリティリストバンド１は、前述した実施形態に限定されるものではなく、適宜変更することができる。例えば、本実施態様においては、帯状体２を一定の幅にしているが、帯状体２の表面に印刷、記載される情報量や装着の態様に応じて幅や形状を適宜変更してもよい。
【符号の説明】
【００３１】
１  セキュリティリストバンド
１１  セキュリティリストバンド形成用シート
２  帯状体
２１  シート状用紙
３  改ざん防止シール部
３１  シール基材
３２  剥離紙
３３  改ざん防止シール体
３４  表示面
４  切り込み部
５  カッティング装置
【図１】
0003189536.tif 000003
【図２】
0003189536.tif 000004
【図３】
0003189536.tif 000005
【図４】
0003189536.tif 000006
【図５】
0003189536.tif 000007
【図６】
0003189536.tif 000008
【手続補正書】
【提出日】平成26年1月9日(2014.1.9)
【手続補正１】
【補正対象書類名】実用新案登録請求の範囲
【補正対象項目名】全文
【補正方法】変更
【補正の内容】
【実用新案登録請求の範囲】
【請求項１】
帯状体の長手方向の一端部に接着部を備え、前記接着部を他端部に接着させて装着するリストバンドであって、前記接着部が、前記接着部を前記他端部に貼付しない場合や貼付しても剥離しない場合には目視できず、前記接着部を前記他端部に貼付した後に剥離すると当該剥離したことを目視できる表示面が当該剥離した接着部および／または他端部に現れる改ざん防止シール部として形成されているセキュリティリストバンド。
【請求項２】
前記帯状体における前記改ざん防止シール部以外の部分に、装着したセキュリティリストバンドを容易に破断するための切り込み部が設けられている、請求項１に記載のセキュリティリストバンド。
【請求項３】
裏面に剥離紙が貼付されている細長ロール状の改ざん防止シール体の長手方向に沿って前記剥離紙のみを切断する切れ目が入れられ、
前記切れ目を境目とする左右の改ざん防止シール体のうち、一方の改ざん防止シール体の前記剥離紙が剥がされて粘着面を露出させながら、露出された前記粘着面をシート状用紙の長手方向に沿って貼付されることにより、改ざん防止シール部を備えたセキュリティリストバンド形成用シートが形成され、
前記セキュリティリストバンド形成用シートを前記改ざん防止シール部が一端部に位置するように所定の大きさの帯状体に切断されることによって形成される、請求項１または請求項２に記載のセキュリティリストバンド。
【手続補正２】
【補正対象書類名】明細書
【補正対象項目名】全文
【補正方法】変更
【補正の内容】
【考案の詳細な説明】
【技術分野】
【０００１】
本考案は、不正な再使用を防止するセキュリティリストバンドに関するものである。
【背景技術】
【０００２】
観光農園、遊園地、テーマパーク、イベント会場等においては、入場券または入場券の代わりとして正規の入場者を識別するためにセキュリティリストバンドが配られて、正規の入場者はそれを手首に装着して行動し、入退出の際には、会場スタッフにそのセキュリティリストバンドを見せることにより速やかに入退出できるように用いられている。しかしながら、従来のセキュリティリストバンドには、容易に着脱可能なものもあり、使い回し等の不正な再使用の問題がある。
【０００３】
このような問題に対して、従来、一度取り付けたら破断せずには取り外しできない構成により重複使用を防止するセキュリティリストバンドが提案されており、例えば、特開２００７−２２９０００号公報には、セキュリティリストバンドの接着部に、セキュリティリストバンドを破断して手首などの局部から取り外し可能な切込み線などからなる破断部を有するセキュリティリストバンドが開示されている（特許文献１）。このセキュリティリストバンドによれば、手首にきつく巻いて使用し、取り外す場合には、破断部を切断しなければならないため、再利用することができない。
【先行技術文献】
【特許文献】
【０００４】
【特許文献１】特開２００７−２２９０００号公報
【考案の概要】
【考案が解決しようとする課題】
【０００５】
しかしながら、特許文献１に記載された発明において、セキュリティリストバンドを破断する場合、装着していない一方の手で行うことになるため、力がうまく入らず特に子供やお年寄りには破断しにくいという問題がある。
【０００６】
そこで、本考案は、このような問題点を解決するためになされたものであって、セキュリティリストバンドの取り外しが簡単でありながら、取り外した状態を一見して識別できるため不正な再使用を効果的に防止することができ、しかも製造コストも安価に抑えられるセキュリティリストバンドを提供することを目的としている。
【課題を解決するための手段】
【０００７】
本考案に係るセキュリティリストバンドは、帯状体の長手方向の一端部に接着部を備え、前記接着部を他端部に接着させて装着するリストバンドであって、前記接着部が、前記接着部を前記他端部に貼付しない場合や貼付しても剥離しない場合には目視できず、前記接着部を前記他端部に貼付した後に剥離すると当該剥離したことを目視できる表示面が当該剥離した接着部および／または他端部に現れる改ざん防止シール部として形成されている。
【０００８】
そして、本考案の一態様として、前記帯状体における前記改ざん防止シール部以外の部分に、装着したセキュリティリストバンドを容易に破断するための切り込み部が設けられていてもよい。
【０００９】
さらに、本考案の一態様として、裏面に剥離紙が貼付されている細長ロール状の改ざん防止シール体の長手方向に沿って前記剥離紙のみを切断する切れ目が入れられ、前記切れ目を境目とする左右の改ざん防止シール体のうち、一方の改ざん防止シール体の前記剥離紙が剥がされて粘着面を露出させながら、露出された前記粘着面をシート状用紙の長手方向に沿って貼付されることにより、改ざん防止シール部を備えたセキュリティリストバンド形成用シートが形成され、前記セキュリティリストバンド形成用シートを前記改ざん防止シール部が一端部に位置するように所定の大きさの帯状体に切断されることによって形成してもよい。
【考案の効果】
【００１０】
本考案のセキュリティリストバンドによれば、セキュリティリストバンドを片手で簡単に取り外すことができるとともに、取り外した状態を一見して識別できるため使い回し等の不正な再使用を防止することができ、製造コストも安価に抑えられる。
【図面の簡単な説明】
【００１１】
【図１】本実施形態の使用前のセキュリティリストバンドの一実施形態を示す斜視図である。
【図２】本実施形態の図１のセキュリティリストバンドの使用時の状況を示す斜視図である。
【図３】本実施形態の図１のセキュリティリストバンドの使用後の状況を示す斜視図である。
【図４】本実施形態の改ざん防止シール体のカッティング工程を示す正面図である。
【図５】本実施形態の改ざん防止シール体の剥離紙を剥離する工程を示す斜視図である。
【図６】本実施形態のセキュリティリストバンド形成用シートの平面図である。
【考案を実施するための形態】
【００１２】
以下、本考案に係るセキュリティリストバンドの一実施形態について図面を用いて説明する。
【００１３】
なお、本考案において、セキュリティリストバンドとは、手首等に巻き付けるものであって、樹脂製や紙製等のあらゆる素材により構成されているものを含み、表面に文字や絵、バーコード等の情報が印刷、記載、刻印されているもの、また、それらの情報がないものも含まれ、入場券用、個人または個人の属するグループの特定・識別用等のあらゆる用途のものを含む概念である。また、改ざん防止シールとは、貼付した後に剥離すると剥離したことを目視できる表示面が現れるシールであって、表示面として、「開封済」や「ＶＯＩＤ」の文字、図形、その他のあらゆる表示が含まれ、樹脂製や紙製等のあらゆる素材のものを含む概念である。
【００１４】
本実施形態に係るセキュリティリストバンド１は、図１ないし図３に示すように、主として、帯状体２と、改ざん防止シール部３、切り込み部４とから構成されている。以下、各構成について説明する。
【００１５】
帯状体２は、セキュリティリストバンド１を形成するための基材となるものである。図１ないし図３に示すように、帯状体２は、手首に巻くことのできる所定の長さと、セキュリティリストバンドを使用する日付や場所等の情報を記載することができる幅を有しており、帯状体２の長手方向の一端部に改ざん防止シール部３を接着させることによりセキュリティリストバンド１を形成する。帯状体２の材質は、リストバンドとして装着可能な耐久性を有するものであればよく、本実施形態では、耐水性にも優れている樹脂製素材で構成されている。
【００１６】
改ざん防止シール部３は、セキュリティリストバンド使用時にはセキュリティリストバンドを装着するために機能し、セキュリティリストバンド使用後には使用済みであることを認識および識別させるために機能するものである。図１に示すように、改ざん防止シール部３は、シール基材３１と剥離紙３２とからなり、シール基材３１の裏面は接着剤を塗布した粘着面となっている。シール基材３１の粘着面の一部が帯状体２の長手方向の一端部に接着されることにより、セキュリティリストバンド１に改ざん防止シール部３が形成される。また、改ざん防止シール部３は、貼付した後に剥離されるとその剥離したことを目視できる表示が現れる構成が採用されている。例えば、粘着面に粘着強度の異なる接着材が塗布されており、剥離すると粘着強度の強い部分が他端部に残るため、この残存部分として「開封済」の文字等が現れるように接着剤を形成すれば、一見して剥離状態を識別することができる。
【００１７】
また、セキュリティリストバンド１を使用する際には、図２に示すように、改ざん防止シール部３の剥離紙３２を剥がし、粘着面を露出させ、帯状体２を手首などの装着対象に巻き付けながら他端部にシール基材３１の粘着面を接着させて、セキュリティリストバンド１を装着する。一方、セキュリティリストバンド１を取り外す際には、帯状体２に接着されたシール基材３１を剥がすと、図３に示すように、改ざん防止シール部３および帯状体２の一部に、剥離したことを目視できる表示面３４が表れる。なお、本実施形態では、剥離したことを目視できる表示面３４として、「開封済」の文字が表れるように構成されているが、表示面３４は他の文字や図形など、適宜変更可能である。
【００１８】
また、切り込み部４は、セキュリティリストバンド１を容易に破断するためのものであり、改ざん防止シール部以外の部分に形成されている。なお、切り込み部４の形状は、本実施形態ではスリット状に形成されているが、三角形状などに切り込んでもよいし、幅方向の中央部分にスリット状に形成したもよく、適宜変更可能である。
【００１９】
つぎに、本実施形態に係るセキュリティリストバンド１による作用について、図１ないし図３を参照しつつ説明する。
【００２０】
本実施形態のセキュリティリストバンド１を使用する場合、図１および図２に示すように、改ざん防止シール部３の剥離紙３２を剥がして、帯状体２の他端部に改ざん防止シール部３を貼付することによって、セキュリティリストバンド１を装着する。これにより、セキュリティリストバンド１を容易に装着することができる。
【００２１】
一方、セキュリティリストバンド１を取り外す場合、図３に示すように、帯状体２に接着されたシール基材３１を剥離すると、剥離したことを目視できる表示面３４が表れる。これにより、装着したセキュリティリストバンド１を容易に取り外すことができ、かつ、セキュリティリストバンド１が使用済みであることを認識させ、不正な再使用を防止することができる。
【００２２】
また、帯状体２に設けられた切り込み部４によりセキュリティリストバンド１を片手で簡単に破断して、セキュリティリストバンド１を取り外すこともできる。これにより、装着者は、セキュリティリストバンド１を取り外す方法として、改ざん防止シール部３を剥がす方法か、切り込み部４により破断する方法かを選択することができ、切り込み部４により破断する方法を採用した場合でも、破断されたセキュリティリストバンド１は再使用が不可能となり、不正な再使用を防ぐことができる。
【００２３】
最後に、本実施形態に係るセキュリティリストバンド１の製造方法の一態様について図４ないし図６を用いて説明する。
【００２４】
まず、裏面に剥離紙が貼付されている細長ロール状の改ざん防止シール体３３を用意し、図４に示すとおり、カッティング装置５により、改ざん防止シール体３３の長手方向に沿って前記剥離紙３２のみを切断する切れ目を入れる。
【００２５】
つぎに、図５および図６に示すとおり、前記切れ目を境目とする左右の改ざん防止シール体３３のうち、一方の改ざん防止シール体３３の前記剥離紙３２を剥がして粘着面を露出させながら、露出された前記粘着面をシート状用紙２１の長手方向に沿って貼付することにより、改ざん防止シール部３を備えたセキュリティリストバンド形成用シート１１を形成する。
【００２６】
そして、図６に示すとおり、セキュリティリストバンド形成用シート１１を改ざん防止シール部３が一端部に位置するように所定の大きさの帯状体２に切断する。なお、本実施形態において、セキュリティリストバンド形成用シート１１をミシン目により所定の大きさの帯状体２に切断しているが、所定の大きさの型を使用して切り抜くなど、帯状体２に切断する方法は適宜変更してもよい。
【００２７】
これにより、改ざん防止シール部３を備えたセキュリティリストバンド１を形成することができるが、セキュリティリストバンド１の製造方法は、上記に限定されるものではなく、他の方法で製造してもよい。
【００２８】
なお、帯状体２の表面に、文字や絵、バーコード等の情報を記載、印刷する場合は、あらかじめ文字や絵を印刷したシート状用紙２１を使用してもよく、また、改ざん防止シール部３を設けたセキュリティリストバンド形成用シート１１またはセキュリティリストバンド１を形成した後に文字や絵、バーコード等を印刷してもよい。
【００２９】
以上のように、本考案によれば、セキュリティリストバンド１を片手で簡単に取り外すことができるとともに、取り外した状態を一見して識別できるため使い回し等の不正な再使用を防止することができ、製造コストも安価に抑えられる
【００３０】
なお、本考案に係るセキュリティリストバンド１は、前述した実施形態に限定されるものではなく、適宜変更することができる。例えば、本実施態様においては、帯状体２を一定の幅にしているが、帯状体２の表面に印刷、記載される情報量や装着の態様に応じて幅や形状を適宜変更してもよい。
【符号の説明】
【００３１】
１  セキュリティリストバンド
１１  セキュリティリストバンド形成用シート
２  帯状体
２１  シート状用紙
３  改ざん防止シール部
３１  シール基材
３２  剥離紙
３３  改ざん防止シール体
３４  表示面
４  切り込み部
５  カッティング装置